(57)【特許請求の範囲】
【請求項１】
左右方向に延び、かつ前後方向に互いに対向する少なくとも前後一対の針床を有し、前記針床の少なくとも一方が左右にラッキング可能で、前記針床間で編目の目移しが可能な横編機を用いて、ベストやセーターなどのニットウエアを構成する少なくとも前身頃を有する前側部分の編地を第１の針床上に付属させ、少なくとも後身頃を有する後側部分の編地を第２の針床上に付属させ、前記前側部分の編地と後側部分の編地が編み幅の両端で接続された筒状体として前側部分の編地と後側部分の編地を裾から肩に向けて編成し、その間に前身頃を前衿ぐり形成部以降において右前身頃と左前身頃とに分岐させて編成するとともに前衿ぐり周縁の編目を順次編成から外して不作用状態にしていく引き返し編みを所定回数繰り返して前下がりの付いた衿ぐりを前身頃に形成し、肩部において衿ぐりを除く前側部分の編地と後側部分の編地を互いに接合するようにしてニットウエアをシームレスニットに編成する方法において、
第１の針床に係止する前衿ぐりの右側部分および左側部分の各編目部分を、内側から外側に向けて、その移動量を大きくさせて移動し、各編目部分の間に空針を挿入させた状態で第１の針床に係止させるとともに、前記移動される前衿ぐりの右側部分および左側部分の外側側端の少なくとも１つの編目を前記第２の針床に係止される後衿ぐりの側端の編目の隣に送ることで前後の針床において係止する両側端の編目同士が左右に大きく離れることなく近接した状態を維持するようにして衿ぐりの口径を広げ、これに続けて前記空針に増し目を行い、続いて衿の編成を行うようにしたことを特徴とするニットウエアをシームレスニットに編成する方法。
【請求項２】
前記第２の針床に送られる前衿ぐりの右側部分および左側部分の外側側端の編目がそれぞれ複数個あり、端の編目から順に第２の針床に送る請求項１に記載のニットウエアをシームレスニットに編成する方法。
【請求項３】
左右方向に延び、かつ前後方向に互いに対向する少なくとも前後一対の針床を有し、前記針床の少なくとも一方が左右にラッキング可能で、前記針床間で編目の目移しが可能なコンピュータ内蔵の横編機を使用して、
衿の編成方法を発生させるためのニットデザイン装置で、以下の指令を発生させる手段を有することを特徴とするニットデザイン装置。：
ａ：第１の針床に係止する前衿ぐりの右側部分および左側部分の各編目部分を、内側から１針、２針、…と外側に向けて、その移動量を大きくさせて移動し、各編目部分の間に空針を挿入させた状態で第１の針床に係止させるとともに、前記移動される前衿ぐりの右側部分および左側部分の外側側端の少なくとも１つの編目を第２の針床に係止される後衿ぐりの側端の編目の隣に送る指令、
ｂ：前記編成に続けて挿入された空針に増し目を行う指令、
ｃ：続いて衿の編成を行う指令。
【発明の詳細な説明】
技術分野
本発明は、横編機を用いて、ベストやセーター等のニットウエアにおける衿の編成方法および衿の編成指令を生成するニットデザイン装置に関する。
背景技術
本願出願人は、特開平４−２１４４８号公報に前身頃の衿ぐりを広げるとともにこれに前下がりを形成する横編機による編地の編成方法を先に提案した。これは前身頃を衿ぐり形成開始箇所以降において、衿ぐりを挟む前右身頃と前左身頃に分岐して編成し、その編成の過程において衿ぐり周縁に沿って増し目を行うとともに、各左右の前身頃の編目を外側に移動させる編成を繰り返しながら前身頃を肩まで編成するものである。衿ぐりをこのようにして形成することで衿ぐりのウエール数が増やされ、その結果、これに続けて編まれる衿は衿幅の広いものとなるだけでなく衿ぐりには自然と前下がりが形成される。このように編まれた前身頃を使ってセーターを製造すればファッション性が高く、着用時に容易に頭を衿ぐりに通せて着心地の良いニットウエアができる。
上記公報の方法は、パーツとして単体に編まれる前身頃について開示したものであり、前身頃と後身頃をその編み幅の両端で接続して筒状に編むとともにこれらを横編機での編成工程中に肩部において互いに接合させてベストやセーター等のニットウエアを完成させるいわゆるシームレスニットと呼ばれる編成技術について開示しない。
シームレスニットは、編み工程の後の縫製を簡略ないし省略するための編成技術で、本願出願人は特開平２−９１２５４，特開平２−２２９２４８、特開平４−２０９８５５および特開平４−１５３３４６などを含め、多数の編成技術を提案している。
２枚ベッド横編機によるシームレスニットは、針床の奇数番目の針を例えば前身頃や袖前部などの前側部分の編地用に、偶数番目の針を後側部分の編地用として、前後針床のそれぞれ１本置きの針を使用して行う。前側部分の編地を編成する際に後側部分の編地を後針床に係止（付属）させ、反対に後側部分を編成する際に前側編地を前針床に付属させて各編地を前後に重ね合わせた状態で編成することでそれぞれの編地は、目移し用の空針を対向する針床上に常に確保でき、この空針を使うことでリンクス、ガーター、リブなどの表目／裏目が混在した組織柄を編成したり、袖や身頃の編目を横方向に移動させて互いに接合することができる。これに対し、４枚ベッド横編機を使用する場合では、前側部分の編地を例えば下部前針床と上部後針床の針で編成し、後側部分の編地を下部後針床と上部前針床の針を使用する。この場合、前側部分の編地を編成する際に後側部分の編地を下部後針床に付属させ、反対に後側部分を編成する際に前側部分の編地を下部前針床に付属させて編成することができるので、２枚ベッド横編機のように１本置きの針を使用するといった制限はない。また上記２枚ベッド横編機の前後の針床の一方または両方の上位にトランスファージャックを列設したトランスファージャックベッドを有するタイプの横編機を用いてシームレスニットを編成するができる。
また特開平１１−４３８４９号公報に開示される編目ループの預け置き方法、いわゆるホールディング技術をシームレスニットに利用できる。ホールディングとは、針本体とスライダーからなり、スライダーが２枚の薄板を重ね合わせたもので、その先端側にタングを備えたスライドニードルと呼ばれる一種の複合針を使用して行う編目の預け置き技術のことであり、針本体のフックに元々係止していた編目を保持するとともにスライダーのタング上で別の編目を受け取るようにして同じ一つの針上で異なる２つの編目を互いに分離した状態で保持することをいう。このホールディングの詳細については上記公報を参照するものとするが、これを用いることで編目を移した側の針を空針とでき、これを使って適宜の編成を行った後、預けた編目をこの空針に元通り移し戻すようにすれば２枚ベッド横編機の場合でも目移し用の空針を予め確保せずにすみ全針を使ってニットウエアをシームレスに編成できる。
ところがこのようにシームレスニットされるニットウエアに対し、衿の衿幅を広げ、同時に衿ぐりに前下がりを形成したい場合に、例えばニットウエアとしてベストを編成する場合では、前身頃だけでなくこれに対峙して並行して一体に編まれる後身頃との関係を考慮しながら編成しなければならず先の特開平４−２１４４８号公報の編成方法を容易に適用できない。セーターやカーディガン等の場合では身頃の両側に袖を配置して編成するので、これら各パーツ同士の左右、前後の配置と、前身頃に衿ぐりを形成し、且つこれを外側に移動させながら他のパーツと如何に一体に編成するかを考慮する必要があり、更に困難となる。
本発明は、横編機を用いて前身頃の衿ぐりを広げるとともに衿ぐりに前下がりを形成したセーター等のニットウエアを比較的簡単な方法でシームレスに編成する編成方法および衿ぐりの編成方法を記憶したニットデザイン装置を提供することを目的とする。
発明の開示
本発明によれば左右方向に延び、かつ前後方向に互いに対向する少なくとも前後一対の針床を有し、前記針床の少なくとも一方が左右にラッキング可能で、前記針床間で編目の目移しが可能な横編機を用いて、ベストやセーターなどのニットウエアを構成する少なくとも前身頃を有する前側部分の編地を第１の針床上に付属させ、少なくとも後身頃を有する後側部分の編地を第２の針床上に付属させ、前記前側部分の編地と後側部分の編地が編み幅の両端で接続された筒状体として前側部分の編地と後側部分の編地を裾から肩に向けて編成し、その間に前身頃を前衿ぐり形成部以降において右前身頃と左前身頃とに分岐させて編成するとともに前衿ぐり周縁の編目を順次編成から外して不作用状態にしていく引き返し編みを所定回数繰り返して前下がりの付いた衿ぐりを前身頃に形成し、肩部において衿ぐりを除く前側部分の編地と後側部分の編地を互いに接合するようにしてニットウエアをシームレスニットに編成する方法において、第１の針床に係止する前衿ぐりの右側部分および左側部分の各編目部分を、内側から外側に向けて、その移動量を大きくさせて移動し、各編目部分の間に空針を挿入させた状態で第１の針床に係止させるとともに、前記移動される前衿ぐりの右側部分および左側部分の外側側端の少なくとも１つの編目を前記第２の針床に係止される後衿ぐりの側端の編目の隣に送ることで前後の針床において係止する両側端の編目同士が左右に大きく離れることなく近接した状態を維持するようにして衿ぐりの口径を広げ、これに続けて前記空針に増し目を行い、続いて衿の編成を行うようにした。
好ましくは前記第２の針床に送られる前衿ぐりの右側部分および左側部分の外側側端の編目がそれぞれ複数個ある場合は端の編目から順に第２の針床に送る。
また本発明では左右方向に延び、かつ前後方向に互いに対向する少なくとも前後一対の針床を有し、前記針床の少なくとも一方が左右にラッキング可能で、前記針床間で編目の目移しが可能なコンピュータ内蔵の横編機を使用して、
衿の編成方法を発生させるためのニットデザイン装置で、
ａ：第１の針床に係止する前衿ぐりの右側部分および左側部分の各編目部分を、内側から１針、２針、…と外側に向けて、その移動量を大きくさせて移動し、各編目部分の間に空針を挿入させた状態で第１の針床に係止させるとともに、前記移動される前衿ぐりの右側部分および左側部分の外側側端の少なくとも１つの編目を第２の針床に係止される後衿ぐりの側端の編目の隣に送る指令、
ｂ：前記編成に続けて挿入された空針に増し目を行う指令、
ｃ：続いて衿の編成を行う指令を発生させる手段を有する。
本発明の作用について説明する。ベストやセーターなどのニットウエアをシームレスに編成する場合に、前身頃を前衿ぐり形成部以降において右前身頃と左前身頃とに分岐させて編成するとともに前衿ぐり周縁の編目を順次編成から外して不作用状態にしていく引き返し編みを所定回数繰り返すことで衿ぐり周辺のコース数が肩に向けて徐々に少なくなり衿ぐりが円弧状となって前下がりが前身頃に形成される。その後、肩部において衿ぐりを除く前側部分の編地と後側部分の編地を互いに接合して、続いて編成される衿の手前までの編成を終了する。
そしてこの後、針床上に残された衿ぐりの編目に続いて編まれる衿の編成に先だって前衿ぐりの編み幅を広げる処理が開始される。第１の針床に係止する前衿ぐりの右側部分の各編目部分を、内側から１針、２針、…と外側に向けて、その移動量を大きくさせて移動し、各編目部分の間に空針を挿入させる。同様な編成を前衿ぐりの左側部分に対して行う。この各編目の移動は目移しとラッキングにより行われる。１本置きの針を用いて編成する２枚ベッド横編機の場合では対向の針床に用意した目移し用の空針を用いて行われ、編目の移動量は全針で編成する場合の倍となる。編目の移動はトランスファージャックを有する横編機の場合ではトランスファージャックを使用してもよい。そして移動された前衿ぐりの両端の側端の少なくとも１つの編目を前記第２の針床に係止される後衿ぐりの側端の編目の隣に送る。前衿ぐりの編み幅を左右においてそれぞれ２ウエール増やす場合には両端の各編目１つが第２の針床へ送られる。４ウエールの場合には端の各２目が、６ウエールの場合では各３目が第２の針床へ送られる、という具合に増やされる数が大きくなるほどそれに応じて第２の針床へ送られる目数も増える。第２の針床へ送られる編目の数が複数個有る場合には、端の編目から順に送る。
このようにして針床において係止する両側端の編目同士が左右に大きく離れることなく近接した状態を維持したままで衿ぐりの口径を広げる。そしてこのようにして衿ぐりを広げた後、各編目間に挿入された空針に増し目を行って衿編成のためのセットアップを行う。衿ぐりを広げる編成は、前側部分の編地と後側部分の編地が肩で接合された後において開始されるので身頃や袖などの各パーツ同士の針床上における左右、前後の配置を考慮しながら、且つ前身頃に衿ぐりを形成しながらこれらパーツを如何に一体に編成するかといった問題を無視できるのでファッション性が高く、着用時に容易に頭を衿ぐりに通せて着心地の良いニットウエアを比較的簡単な方法で得ることができる。
発明を実施するための最良の形態
本発明の好適な実施例を図面と共に以下詳細に説明する。
本実施例では、図示しないが上面にそれぞれ多数のスライドニードルを列設した前針床（ＦＢ）と後針床（ＢＢ）を前後対峙し、後針床が左右にラッキング可能で、前後針床間で目移しが可能であるとともに前針床の上位には多数のトランスファージャックを列設したトランスファージャックベッド（ＴＪＢ）が左右にラッキング可能に設けられ、このトランスファージャックと前後針床との間で目移しが可能なタイプの横編機が使用される。
第１図は本実施例により編成されるニットウエアとしてセーター１を示す。セーター１は、袖４，１４がラグランタイプで、衿ぐりがラウンドネック、また編み組織は説明の便宜上平編みの無地としたが、ジャカードやリブ等の組織柄のものであってもよい。第２図はセーター１を構成する身頃２と袖４，１４および衿８の型紙（編目配列）を示し、上がセーター着用時に後側に現れる後側部分となる後身頃２ｂ、両袖の後部４ｂ，１４ｂと衿後部８ｂを示し、これらは後針床上の針を使用して編まれ、下が着用時に前側に現れる前側部分で前身頃２ａ、両袖の前部４ａ，１４ａと衿前部８ａを示し、これらは後述するが衿前部の外側の一部を除いて前針床上の針で編まれる。
セーター１は、脇下部において前身頃２ａの各点Ａ，ａは、袖前部４ａ，１４ａの各点Ｐ，ｐと接合され、後身頃２ｂの各点Ｈ，ｈは袖後部４ｂ，１４ｂの各点Ｓ，ｓと接合される。前身頃２ａの線Ａ−Ｂと袖４ａの線Ｐ−Ｑが接合され、前身頃２ａの線ａ−ｂと袖１４ａの線ｐ−ｑが接合される。同様に後身頃２ｂの線Ｈ−Ｉと袖４ｂの線Ｓ−Ｔが接合され、後身頃２ｂの線ｈ−ｉと袖１４ｂの線ｓ−ｔが接合される。前身頃２ａは衿ぐり１０ａが形成される点Ｃ，ｃ以降にかけて後身頃２ｂと異なる形状をしており、前右身頃１５ａと前左身頃５ａとに分岐して編まれる。なお前右身頃や左袖など各パーツを示す際に使う右・左はセーター着用時の着用者を基準に表すものとする。８ａは衿前部を示し、衿後部８ｂよりも編み幅が広い。
第３図は、セーター編成の各段階の概略を示す。ステップＳで身頃２、袖４，１４用にそれぞれ用意した給糸口（不図示）で編糸を前針床の各針に供給した後、給糸口を反転させて後針床の各針へ編糸を供給する編成を繰り返して筒状体の裾ゴム部６、７，１７の編成を開始する。ステップＴは袖４，１４の筒径を広げながら、身頃２と同時に編成を行い、脇下部（点Ａ，Ｐ，ａ，ｐ，Ｓ，Ｈ，ｓ，ｈ）まで達したところを示す。
ステップＴ〜Ｕでは例えば身頃編成に使用してきた給糸口を使って身頃２と袖４，１４を統合させた１つの筒状体として編成しながらその都度袖と身頃を接合ライン１３で重ねるようにして筒状体の口径を徐々に減少していく。ステップＶからは前身頃２ａを前右身頃１５ａと前左身頃５ａとに分岐して衿ぐり１０ａの形成を始める。ここでは前右身頃１５ａ、右袖１４、後身頃２ｂ、左袖４そして前左身頃５ａの順で編んだ後、衿ぐり部１０ａで給糸口を反転させて折り返して前左身頃５ａ、左袖１４、後身頃２ｂ、右袖１４そして前右身頃１５ａの順に”Ｃ”字を描くように繰り返し給糸して身頃と袖を線Ａ−Ｂと線Ｈ−Ｉ、線ａ−ｂと線ｈ−ｉで接合して肩まで編成する。この間、衿ぐり１０ａの線Ｃ−Ｂ、ｃ−ｂに沿う周縁の編目を順次不作用状態に置いていく引き返し編成を繰り返し行ってセーター１が完成したときに前衿ぐり１０ａが円弧状に切り欠いたような前下がり（第１図の符号１２）を形成する。
次に衿ぐり１０を形成した後に行われる衿ぐり１０の編み幅を広げるための編成とこれに続けて行われる衿８の編成について第４図〜第６図とともに説明する。ステップ１は、袖４，１４と身頃２との接合編成が終了した状態の針床における編目の係止状態を示し、前針床の針ｄ〜ｗに前身頃２ａの点Ｂ、ｂ間にある前衿ぐり１０ａの編目が係止され、後針床の針ｄ〜ｗに後身頃２ｂの線Ｉ−ｉにある後衿ぐり１０ｂの編目がそれぞれ係止されている。図では前身頃の編目を太丸で示した。また編目数は説明の便宜上、実際のものより少なくしており、袖４，１４と身頃２との接合編成が終了した時点では前衿ぐり１０ａと後衿ぐり１０ｂはそれぞれ２０ウエールの編み幅を有する。実施例では前衿ぐり１０が左右においてそれぞれ４ウエール増やされる例とする。
衿ぐりを広げる編成は、前衿ぐり１０ａの編目の移動により行われる。この編成の間、後衿ぐり１０ｂの編目は移動されず保持される。ステップ２〜８は衿ぐり１０ａの左部分を広げる処理を示し、ステップ９〜１５は衿ぐり１０ａの右部分の処理を示す。後針床やトランスファージャックベッドがステップ１に示す位置関係にあるときをラッキング原点とする。まずステップ２で後針床を左へ１針ラッキングして前針床の針ｄに係止する編目３９を後針床の針ｌのスライダーのタング上にホールディングさせるとともに針ｌに係止される前衿ぐり１０ａの左端の編目３１を後針床の針ｃに移す。このホールディングについては先述したように特開平１１−４３８４９号公報を参照するものとしここではその説明は省略する。
次のステップ３では前針床の針ｅ〜ｋに係止される編目３２〜３８をトランスファージャックｅ−ｋに移す。ステップ４ではトランスファージャックベッドを２針左へラッキングした状態としてトランスファージャックｋに係止した編目３８を前針床の針ｉに移すとともに先のステップ２で後針床の針ｋにホールディングされた編目３９を前針床の針ｋに移す。上記では編目３９の移動をホールディングを利用して行ったが、これに代えてトランスファージャックを経由させて行うこともできる。このようにすればベラ針の場合でも編成できる。
ステップ５ではトランスファージャックベッドを前記ステップの状態から更に１針（原点より３針）左へラッキングしてトランスファージャックｉに係止した編目３７を前針床の針９に移す。ステップ６では更にトランスファージャックベッドを１針（原点より４針）左へラッキングしてトランスファージャックｄ〜ｈに係止した編目３２〜３６を前針床の針ａ〜ｅに移す。
続くステップ７では後針床を１針左へラッキングして前針床の針ａに移された編目３２を後針床の針ｂに移す。ステップ８は衿ぐり１０ａの左部分を広げる処理が完了して後針床がラッキング原点へ戻ったときの衿ぐり１０の各編目の係止状態を示す。前衿ぐり１０ａの左端の２つの編目３１，３２が端の編目３１から順に後衿ぐり１０ｂの側端の編目に隣接するように後針床へ送られる。前衿ぐり１０ａ左側部分の移動される編目部分（３３〜３９）が元々あった位置から内側を１針として２針、３針、４針分と外側に向けてその移動量を大きくさせて左にシフトさせ４つの空針ｆ，ｈ，ｊ，ｌを編地内に挿入した状態となる。
ここでは各編目３６，３７，３８，３９の間に空針が１つづつ挿入されるが、衿ぐりの目数が本実施例のように少なくない場合には例えば編目３つ毎にそれぞれを１針、２針、３針、４針分シフトさせ、それら編目間に空針を１つづつ挿入するようにしてもよい。増やされるウエールの数だけの空針が挿入され、この空針が連続して形成されないように移動される各編目を分散させることによって後工程で行われる増し目の形成をスムーズに行うことができる。しかしながら分散させるほどの目数を衿ぐりが持たない場合には空針が連続して形成しても構わない。またここでは前衿ぐりの一方において４ウエールが増やされ、端の編目３１，３２を後針床に送るようにして増えた編み幅を前後の針床で２分させた。衿ぐりを一方において２ウエール増やす場合には側端の編目３２だけを後針床へ送ればよい。後針床へ送られる編目の数は、衿ぐりの編み幅の広げる量に応じ、これが多い場合には後針床へ送られる編目の数も増える。
次のステップ９〜１５は衿ぐり１０ａの右部分の編み幅を広げる編成を示し、上記したステップ２〜８に示した衿ぐり１０ａの左側の処理と同様な編成を行う。ステップ１５は前衿ぐり１０ａが広げられた後の衿ぐりの編目の係止状態を示し、衿ぐり１０ａの右部分と左部分でそれぞれ編み幅が４ウエール増やされ、その内の両端の２目が後針床へ送られた状態となっていることがわかる。このように前衿ぐり１０ａの側端の編目３１，３２，４１，４２を後針床に送ることで前後の針床において係止する両側端の編目同士が左右に大きく離れることなく近接した状態を維持して衿ぐりの口径を広げることができる。
ステップ１６は衿８ａ，８ｂを編成するに際し、編目間に挿入された空針ｆ，ｈ，ｊ，ｌ，ｏ，ｑ，ｓ，ｕに増し目を行うステップを示す。ここでは単に供給される編糸を単にフックさせるようにしたが、割増やしなどの他の増し目方法によって行うようにしてもよい。これ以降はステップ１７に示すように編糸を前針床の各針、続いて後針床の各針へと交互に周回状に供給して所望丈の衿８ａ，８ｂを編成する。この際前後の針床で係止される側端の編目同士が近接して配置されているのでその間で両編目間に渡り糸が長く延在することがなく編地の風合いを損ねることがない。このようにして衿８を筒状に編成した後、図示しないが公知の伏せ目等などの解れ止め処理を施して衿の編目を針から外してセーターの編成を終了する。
上記したように本発明では衿ぐり１０ａを広げる編成は前身頃と後身頃が肩部分で接合された後の別工程として行われるため、身頃や袖などの各パーツ同士の針床上における左右、前後の配置を考慮しながら、且つ前身頃に衿ぐりを形成しながらこれらパーツを如何に一体に編成するかといった問題を無視できる。ニットウエアがベストであろうがセーターであろうが、あるいはラグランやセットインなどの袖のタイプを全く気にすることなくしかも比較的簡単にプログラムを作成することができる。また例えば以前作成した編成プログラムを多数所有するような場合でも上記した編成を既存のプログラムに追加するだけでよいので修正が容易である。
編成すべきニットウエアのデザインを行うためのハードウエアとして、例えば出願人のアパレルトータルデザイン（商品名）等のＣＡＤシステムを用いる。デザイナーはこのデザイン装置を用いてニットウエアをデザインし、袖や身頃を筒状に編成することをデザイン装置に入力する。横編機の駆動はディスク等に記憶された編成プログラムを横編機に内蔵のコンピュータが読み取ることで行われ、横編機のコンピュータはこの編成プログラムを解釈して、横編機の各機構を駆動する。上記衿ぐりを含む主な編成方法は、サブルーチンとして編地のデザイン用のニットデザイン装置が記憶している。この種のニットデザイン装置はコンピュータと出力機器とを備えて、ディスク等に編成プログラムを書き込むことができる。ニットデザイン装置は、シームレスニットを行うための筒状編成、増やしや減らしなどの成形編成、伏せ目等の編成上の主要点について、編成指令をサブルーチンとして記憶し、ユーザーがデザインした編地の各部に対応するサブルーチンを組み合わせて編成指令として出力する。この編成指令には、編地をコンピュータ内蔵の横編機が編成するための指令が含まれている。横編機が内蔵コンピュータにより駆動され、内蔵コンピュータはディスク等に記憶された編成指令を読み取り、編成指令はニットデザイン装置上でユーザーがデザインした編地のデザイン画をニットデザイン装置が解釈して発生させること自体は周知である。本発明の場合では前衿ぐりの移動する編目の数や後針床へ送る編目を求める。
なお本発明について上記説明したが本発明は上記実施例に限定されるものではなく、例えば編成に使用する横編機としてトランスファージャックベッドやスライドニードルを有しない一般の汎用型２枚ベッド横編機によっても先述のように１本置きの針を使用することで実施でき、同様に４枚ベッド横編機の場合ではホールディングを使わずとも全針で編成することも可能である。また前衿ぐりを左右においてそれぞれ４ウエール以上増やすことや衿の編み組織をリブ編みとしてもよく、また衿のデザインをタートルネックとしてもよいなど本発明の技術的思想を逸脱しない範囲で実施できる。
産業上の利用可能性
上記したように本発明では衿ぐりを広げる編成は、前身頃と後身頃が肩部分で接合された後の別工程として行うため、身頃や袖などの各パーツ同士の針床上における左右、前後の配置を考慮しながら、且つ前身頃に衿ぐりを形成しながらこれらパーツを如何に一体に編成するかといった問題を無視できる。ニットウエアがベストであろうがセーターであろうが、あるいはラグランやセットインなどの袖のタイプを全く気にすることなくしかも比較的簡単に編成プログラムを作成することができる。また例えば以前作成した編成プログラムを多数所有するような場合でも上記した編成を既存のプログラムに追加するだけでよいので修正が容易である。
【図面の簡単な説明】
第１図は本発明の実施例により編成されるセーターを示し、第２図は実施例のセーターを構成する各パーツを横編機上で編成される状態を示す。第３図は実施例のセーターの各段階の編成の概略を示し、第４図および第５図は実施例のセーターの編成ステップを示す。
【図１】
0003863019.tif 000002
【図２】
0003863019.tif 000003
【図３】
0003863019.tif 000004
【図４】
0003863019.tif 000005
【図５】
0003863019.tif 000006
【図６】
0003863019.tif 000007